【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
メモリと、
それぞれが前記メモリにアクセスして、複数画面の画像データを処理する複数の画像処理部と、
前記画像処理部により所定された画像データを記録媒体に記録する記録手段と、
前記画像処理部により処理された画像データに係る画像を表示する表示手段と、
前記記録手段による画像データの記録を行わずに、前記表示手段による画像の表示を行う非記録モードと、前記記録手段による画像データの記録を行う記録モードとを含む複数のモードの何れかを設定する手段と、
前記複数の画像処理部と前記メモリとの間のデータ転送を制御するデータ転送制御部と、
前記複数の画像処理部への電力供給を制御する電力制御部と、
前記設定されたモードに応じて前記データ転送制御部と前記電力制御部とを制御する制御手段とを有し、
前記制御手段は、前記設定されたモードに応じて前記データ転送制御部を制御して、前記複数の画像処理部のうち所定の画像処理部が所定の画像データの処理を行っている間に前記所定の画像処理部以外の他の画像処理部により前記メモリにアクセスされるデータ量を制御し、
前記制御手段は、前記非記録モードにおいて前記所定の画像処理部が前記所定の画像データを処理している間に前記他の画像処理部により前記メモリにアクセスされるデータ量が、前記記録モードにおいて前記所定の画像処理部が前記所定の画像データを処理している間に前記他の画像処理部により前記メモリにアクセスされるデータ量よりも少なくなるように、前記データ転送制御部を制御し、
前記制御手段は、前記非記録モードにおいて、前記所定の画像処理部が前記所定の画像データの処理を終了した後の前記所定の画像処理部に供給される電力が、前記所定の画像処理部が前記所定の画像データを処理しているときに前記所定の画像処理部に供給される電力よりも少なくなるように、前記電力制御部を制御する
ことを特徴とする画像処理装置。
【請求項２】
前記制御手段は、前記非記録モードにおいて、前記所定の画像処理部が前記所定の画像データを処理した後、次に前記所定の画像データの処理を開始するまで、前記所定の画像処理部に対する電力供給を停止するように、前記電力制御部を制御することを特徴とする請求項１に記載の画像処理装置。
【請求項３】
前記電力制御部は更に、前記画像処理部へのクロックの供給も制御し、
前記制御手段は、前記非記録モードにおいて、前記所定の画像処理部が前記所定の画像データを処理した後、次に前記所定の画像データの処理を開始するまで、前記所定の画像処理部に対するクロックの供給を停止するように、前記電力制御部を制御することを特徴とする請求項１または２に記載の画像処理装置。
【請求項４】
前記電力制御部は更に、前記画像処理部へのクロックの供給も制御し、
前記制御手段は、前記非記録モードにおいて、前記所定の画像処理部が前記所定の画像データの処理を終了した後に前記所定の画像処理部に供給されるクロックの周波数が、前記所定の画像処理部が前記所定の画像データを処理しているときに前記所定の画像処理部に供給されるクロックの周波数よりも低くなくなるように、前記電力制御部を制御することを特徴とする請求項１または２に記載の画像処理装置。
【請求項５】
前記所定の画像処理部は、前記他の画像処理部よりも高速に動作し、且つ、消費電力が大きい
ことを特徴とする請求項１から４の何れか１項に記載の画像処理装置。
【請求項６】
前記制御手段は、前記非記録モードにおいて、前記所定の画像処理部が前記所定の画像データの処理を開始してから完了するまでの間、前記他の画像処理部が前記メモリにアクセスしないように、前記データ転送制御部を制御することを特徴とする請求項１から５の何れか１項に記載の画像処理装置。
【請求項７】
前記制御手段は、前記非記録モードにおいて前記データ転送制御部を制御して、前記所定の画像処理部が前記所定の画像データの処理を開始してから完了するまでの間、前記メモリの使用帯域が所定値を超えないように、前記他の画像処理部による前記メモリへのアクセスを制御することを特徴とする請求項１に記載の画像処理装置。
【請求項８】
前記複数の画像処理部は、現像処理、補正処理、顔画像検出処理、記録のための画像処理を行うことを特徴とする請求項１から７の何れか１項に記載の画像処理装置。
【請求項９】
前記所定の画像データは、１画面に対応した画像データであることを特徴とする請求項１から８の何れか１項に記載の画像処理装置。
【請求項１０】
前記非記録モードにおいて、前記画像処理部は、前記表示手段により表示される画像のサイズに対応したサイズの画像データを処理し、前記記録モードにおいて、前記画像処理部は、前記記録手段により記録される画像データに対応したサイズの画像データを処理することを特徴とする請求項１から９の何れか１項に記載の画像処理装置。
【請求項１１】
撮像手段を備え、
前記複数の画像処理部の一つは、前記撮像手段から出力された画像データを処理することを特徴とする請求項１から１０の何れか１項に記載の画像処理装置。
【請求項１２】
メモリと、
それぞれが前記メモリにアクセスして、複数画面の画像データを処理する複数の画像処理部と、
前記画像処理部により所定された画像データを記録媒体に記録する記録手段と、
前記画像処理部により処理された画像データに係る画像を表示する表示手段と、
前記記録手段による画像データの記録を行わずに、前記表示手段による画像の表示を行う非記録モードと、前記記録手段による画像データの記録を行う記録モードとを含む複数のモードの何れかを設定する手段と、
前記複数の画像処理部と前記メモリとの間のデータ転送を制御するデータ転送制御部と、
前記複数の画像処理部への電力供給を制御する電力制御部と、
前記設定されたモードに応じて前記データ転送制御部と前記電力制御部とを制御する制御手段とを有する画像処理装置の制御方法であって、
前記設定されたモードに応じて前記データ転送制御部を制御して、前記複数の画像処理部のうち所定の画像処理部が所定の画像データの処理を行っている間に前記所定の画像処理部以外の他の画像処理部により前記メモリにアクセスされるデータ量を制御し、
前記非記録モードにおいて前記所定の画像処理部が前記所定の画像データを処理している間に前記他の画像処理部により前記メモリにアクセスされるデータ量が、前記記録モードにおいて前記所定の画像処理部が前記所定の画像データを処理している間に前記他の画像処理部により前記メモリにアクセスされるデータ量よりも少なくなるように、前記データ転送制御部を制御し、
前記非記録モードにおいて、前記所定の画像処理部が前記所定の画像データの処理を終了した後の前記所定の画像処理部に供給される電力が、前記所定の画像処理部が前記所定の画像データを処理しているときに前記所定の画像処理部に供給される電力よりも少なくなるように、前記電力制御部を制御する
ことを特徴とする画像処理装置の制御方法。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００７
【補正方法】変更
【補正の内容】
【０００７】
この課題を解決するため、例えば本明細書における画像処理装置は以下の構成を備える。すなわち、
メモリと、
それぞれが前記メモリにアクセスして、複数画面の画像データを処理する複数の画像処理部と、
前記画像処理部により所定された画像データを記録媒体に記録する記録手段と、
前記画像処理部により処理された画像データに係る画像を表示する表示手段と、
前記記録手段による画像データの記録を行わずに、前記表示手段による画像の表示を行う非記録モードと、前記記録手段による画像データの記録を行う記録モードとを含む複数のモードの何れかを設定する手段と、
前記複数の画像処理部と前記メモリとの間のデータ転送を制御するデータ転送制御部と、
前記複数の画像処理部への電力供給を制御する電力制御部と、
前記設定されたモードに応じて前記データ転送制御部と前記電力制御部とを制御する制御手段とを有し、
前記制御手段は、前記設定されたモードに応じて前記データ転送制御部を制御して、前記複数の画像処理部のうち所定の画像処理部が所定の画像データの処理を行っている間に前記所定の画像処理部以外の他の画像処理部により前記メモリにアクセスされるデータ量を制御し、
前記制御手段は、前記非記録モードにおいて前記所定の画像処理部が前記所定の画像データを処理している間に前記他の画像処理部により前記メモリにアクセスされるデータ量が、前記記録モードにおいて前記所定の画像処理部が前記所定の画像データを処理している間に前記他の画像処理部により前記メモリにアクセスされるデータ量よりも少なくなるように、前記データ転送制御部を制御し、
前記制御手段は、前記非記録モードにおいて、前記所定の画像処理部が前記所定の画像データの処理を終了した後の前記所定の画像処理部に供給される電力が、前記所定の画像処理部が前記所定の画像データを処理しているときに前記所定の画像処理部に供給される電力よりも少なくなるように、前記電力制御部を制御することを特徴とする。